(57)【特許請求の範囲】
【請求項１】
石油燃料を噴霧すると共に燃料の一部を戻り管路に戻すようにすることで噴霧流量を調節することができるリターン式ノズルと、石油タンクから前記リターン式ノズルへ石油を供給するための石油供給管路と、該石油供給管路の前記リターン式ノズルに近い側に設けられる第１ポンプと石油供給管路の前記石油タンクに近い側に設けられる第２ポンプと、前記第１ポンプと第２ポンプとの間の石油供給管路に設けられる流量制御弁とを有し、前記戻り管路の戻り端を前記第１ポンプと流量制御弁との間の前記石油供給管路に接続したリターン式ノズルバーナ装置であって、燃焼停止信号を受けると先ず前記流量制御弁を一旦所定の低開口度まで絞り込み、その後に前記流量制御弁の閉止と前記第１ポンプの停止を行い、また第２ポンプの停止を行うことで消火動作を行わしめると共に、燃焼開始信号を受けると先ず第１ポンプを駆動し、一定の遅延時間を持って第２ポンプの駆動と流量制御弁の開放を行うことで着火動作を行わしめるようにした制御部を設けたことを特徴とするリターン式ノズルバーナ装置。
【請求項２】
着火動作時における流量制御弁の開放については、一旦着火時の流量に対応する開口度よりも大きい開口度とした後、着火時の流量に対応する開口度に制御する制御部を設けたことを特徴とする請求項１に記載のリターン式ノズルバーナ装置。
【請求項３】
石油燃料を噴霧すると共に燃料の一部を戻り管路に戻すようにすることで噴霧流量を調節することができるリターン式ノズルと、石油タンクから前記リターン式ノズルへ石油を供給するための石油供給管路と、該石油供給管路の前記リターン式ノズルに近い側に設けられる第１ポンプと石油供給管路の前記石油タンクに近い側に設けられる第２ポンプと、前記第１ポンプと第２ポンプとの間の石油供給管路に設けられる流量制御弁とを有し、前記戻り管路の戻り端を前記第１ポンプと流量制御弁との間の前記石油供給管路に接続したリターン式ノズルバーナ装置であって、燃焼停止信号を受けると先ず前記流量制御弁を一旦所定の低開口度まで絞り込み、その後に前記流量制御弁の閉止と前記第１ポンプの停止を行い、また第２ポンプの停止を行うことで消火動作を行わしめると共に、燃焼開始信号を受けると先ず第１ポンプの駆動と流量制御弁の開放を行い、一定の遅延時間を持って第２ポンプの駆動を行うことで着火動作を行わしめるようにした制御部を設けたことを特徴とするリターン式ノズルバーナ装置。
【請求項４】
着火動作時における流量制御弁の開放については、先ず第１ポンプの駆動開始と同時に低開口度で開放し、次に第２ポンプの駆動開始と同時に一旦着火時の流量に対応する開口度よりも大きい開口度とした後、着火時の流量に対応する開口度に制御するようにした制御部を設けた請求項３に記載のリターン式ノズルバーナ装置。
【発明の詳細な説明】
【０００１】
【産業上の利用分野】
本発明は、噴霧燃料の一部を噴霧することなく戻り管路に戻すことができるリターン式ノズルを備えたバーナ装置に関する。
【０００２】
【従来の技術】
図７に、この種リターン式ノズルバーナ装置の従来例を示す。
１は石油燃料を噴霧すると共に燃料の一部を戻り管路に戻すようにすることで噴霧流量を調整することができるリターン式ノズルで、石油タンク２から、石油供給管路３を、電磁ポンプ等からなる第２ポンプ４により一定圧に加圧されて送られてきた石油が、流量制御弁５により所定量に調節され、さらに第１ポンプ６によってリターン式ノズル１に入り、噴霧される。一部は戻り管路７に戻されて、再び第１ポンプ６の吸い込み側に戻る。８は戻り管路７内の油がリターン式ノズル１に逆流するのを防止する逆止弁で、９はアキュムレータである。
上記のリターン式ノズルバーナ装置においては、戻り管路７を流れる油の圧力変動を抑えるためにアキュムレータ９を戻り管路７に配置するようにしている。しかしこのアキュムレータ９を戻り管路７に配置すると、バーナの消火時に戻り管路７からの油が逆流してリターン式ノズル１から後ダレが生じる問題がある。そしてこの後ダレを防止するために逆止弁８等を戻り管路７に配すると、今度は消火時に戻り管路７に大きな残圧が発生したり、残圧変動が大きくなる等の問題が生じる。残圧が大きくなる場合には、次回の運転開始の際（着火の際）にノズル１から噴霧される噴霧流量が大となって良好な緩点火が困難となる問題があった。
このため従来はさらに前記残圧を除くため、石油供給管路３の第２ポンプ４を迂回するバイパスＡに専用の圧抜き弁Ｂを設け、これによって消火時に第２ポンプ４の吐出側に生じている戻り圧を圧抜き弁Ｂを介して第２ポンプ４の吸い込み側に放出するようにしていた。
また別の方法として、第２ポンプ４を内圧リーク式のポンプとし、これによって消火時に第２ポンプ４の吐出側に生じた戻り圧（残圧）を第２ポンプ４の吸い込み側に放出させるようにしていた。
さらに、従来においては、運転開始による着火動作として、先ず第２ポンプ４の駆動と流量制御弁５の開放を行い、少し遅延時間をもって第１ポンプ６を駆動させ、着火を行っていた。
【０００３】
【発明が解決しようとする課題】
ところが上記従来のリターン式ノズルバーナ装置では、第２ポンプ４にバイパスＡと専用の圧抜き弁Ｂを設ける必要があることから、部品コストが高くつくという欠点があった。
また第２ポンプ４に内圧リーク式のポンプを用いた場合には、圧抜きに要する時間が長くなる欠点があった。
さらに、着火の際においては、第１ポンプ６の駆動に先立って第２ポンプ４の駆動と流量制御弁５の開放を行うことから、第１ポンプ６の吸い込み側や戻り管路７内の圧力が、例え前回の消火の際に充分に低い残圧になされている場合でも、こ着火がなされる以前に再びかなり高くなってしまい、そのため良好な緩点火ができず、着火が不安定になる欠点があった。
【０００４】
そこで本発明は、上記従来の装置における欠点を解消し、消火時にリターン式ノズルの戻り管路に発生する残圧の圧抜きを、専用の圧抜き弁を用いることなく、また圧抜きに長時間を要することなく行うことができると共に、また着火時には噴霧圧を低圧からの良好な着火圧へと確実に上昇させて良好で安定した緩点火を行うことができるリターン式ノズルバーナ装置の提供を目的とする。
【０００５】
【課題を解決するための手段】
上記目的を達成するため、本発明のリターン式ノズルバーナ装置は、石油燃料を噴霧すると共に燃料の一部を戻り管路に戻すようにすることで噴霧流量を調節することができるリターン式ノズルと、石油タンクから前記リターン式ノズルへ石油を供給するための石油供給管路と、該石油供給管路の前記リターン式ノズルに近い側に設けられる第１ポンプと石油供給管路の前記石油タンクに近い側に設けられる第２ポンプと、前記第１ポンプと第２ポンプとの間の石油供給管路に設けられる流量制御弁とを有し、前記戻り管路の戻り端を前記第１ポンプと流量制御弁との間の前記石油供給管路に接続したリターン式ノズルバーナ装置であって、燃焼停止信号を受けると先ず前記流量制御弁を一旦所定の低開口度まで絞り込み、その後に前記流量制御弁の閉止と前記第１ポンプの停止を行い、また第２ポンプの停止を行うことで消火動作を行わしめると共に、燃焼開始信号を受けると先ず第１ポンプを駆動し、一定の遅延時間を持って第２ポンプの駆動と流量制御弁の開放を行うことで着火動作を行わしめるようにした制御部を設けたことを第１の特徴としている。
また本発明のリターン式ノズルバーナ装置は、上記第１の特徴に加えて、着火動作時における流量制御弁の開放については、一旦着火時の流量に対応する開口度よりも大きい開口度とした後、着火時の流量に対応する開口度に制御する制御部を設けたことを第２の特徴としている。
また本発明のリターン式ノズルバーナ装置は、石油燃料を噴霧すると共に燃料の一部を戻り管路に戻すようにすることで噴霧流量を調節することができるリターン式ノズルと、石油タンクから前記リターン式ノズルへ石油を供給するための石油供給管路と、該石油供給管路の前記リターン式ノズルに近い側に設けられる第１ポンプと石油供給管路の前記石油タンクに近い側に設けられる第２ポンプと、前記第１ポンプと第２ポンプとの間の石油供給管路に設けられる流量制御弁とを有し、前記戻り管路の戻り端を前記第１ポンプと流量制御弁との間の前記石油供給管路に接続したリターン式ノズルバーナ装置であって、燃焼停止信号を受けると先ず前記流量制御弁を一旦所定の低開口度まで絞り込み、その後に前記流量制御弁の閉止と前記第１ポンプの停止を行い、また第２ポンプの停止を行うことで消火動作を行わしめると共に、燃焼開始信号を受けると先ず第１ポンプの駆動と流量制御弁の開放を行い、一定の遅延時間を持って第２ポンプの駆動を行うことで着火動作を行わしめるようにした制御部を設けたことを第３の特徴としている。
また本発明のリターン式ノズルバーナ装置は、上記第３の特徴に加えて、着火動作時における流量制御弁の開放については、先ず第１ポンプの駆動開始と同時に低開口度で開放し、次に第２ポンプの駆動開始と同時に一旦着火時の流量に対応する開口度よりも大きい開口度とした後、着火時の流量に対応する開口度に制御するようにした制御部を設けたことを第４の特徴としている。
【０００６】
【作用】
上記本発明の第１の特徴によれば、制御部が燃焼停止信号を受け取ることで、先ず流量制御弁が一旦、所定の低開口度まで絞り込まれる。これによって流量制御弁の前方にある第１ポンプの吸い込み側及びリターン式ノズルからの戻り管路内の圧力を消火動作前に一定の低圧力に調整して保持することができる。このため、その後に消火動作、即ち流量制御弁を閉止し、また前記第１ポンプや第２ポンプを停止する動作が行われても、前記第１ポンプの吸い込み側及びリターン式ノズルからの戻り管路内の残圧が比較的低圧力で且つバラツキの少ない安定したものとすることができる。これにより次回の運転開始時の着火の際にも低圧力での安定した緩点火が可能となる。
また、消火完了後の圧抜きを特に行わなくても残圧を減ずることができるので、専用の圧抜き弁が不要となり、コストの低減となる。また内圧リーク式のポンプを用いることがないので、圧抜きに要する時間も長くならない。
さらに、次回の運転開始の合図として制御部が燃焼開始信号を受け取ることで、先ず第１ポンプの駆動だけが開始され、第２ポンプと流量制御弁は停止ないし閉止状態に維持される。これにより着火動作への準備段階として先ず第１ポンプの吸い込み側と戻り管路内の圧力を引き続き安定した適当な低圧に保持することができ、よってこの安定した低い圧力から後続する着火時の噴霧圧へと確実に圧力を増して調整することができる。
上記本発明の第２の特徴によれば、上記第１の特徴による作用に加えて、燃焼開始時、第１ポンプの駆動に遅れて第２ポンプの駆動と流量制御弁の開放がなされる際、流量制御弁の開口度を一旦、着火時の噴霧流量に対応する開口度よりも大きくすることで、噴霧流量を短時間で低い噴霧流量から着火時の噴霧流量へと速やかに増大させることができ、速やかに着火を行うことができる。
上記本発明の第３の特徴によれば、制御部が燃焼停止信号を受け取ることで、先ず流量制御弁が一旦、所定の低開口度まで絞り込まれる。これによって流量制御弁の前方にある第１ポンプの吸い込み側及びリターン式ノズルからの戻り管路内の圧力を消火動作前に一定の低圧力に調整して保持することができる。このため、その後に消火動作、即ち流量制御弁を閉止し、また前記第１ポンプや第２ポンプを停止する動作が行われても、前記第１ポンプの吸い込み側及びリターン式ノズルからの戻り管路内の残圧が比較的低圧力で且つバラツキの少ない安定したものとすることができる。これにより次回の運転開始時の着火の際にも低圧力での安定した緩点火が可能となる。
また、消火完了後の圧抜きを特に行わなくても残圧を減ずることができるので、専用の圧抜き弁が不要となり、コストの低減となる。また内圧リーク式のポンプを用いることがないので、圧抜きに要する時間も長くならない。
さらに、次回の運転開始の合図として制御部が燃焼開始信号を受け取ることで、先ず第１ポンプの駆動と流量制御弁の開放が行われ、第２ポンプは引き続き停止状態に維持される。これにより着火動作への準備段階として、先ず第１ポンプの吸い込み側を第２ポンプに至るまでの領域において均圧化した低圧に保持すると共に戻り管路内の圧力も引き続き適当な低圧に保持することができる。よってこの低い安定した圧力から確実に後続する着火時の噴霧圧へと増圧調整することができる。
上記本発明の第４の特徴によれば、上記第３の特徴による作用に加えて、燃焼開始時、先ず第１のポンプの駆動開始と同時に流量制御弁を低開口度で開放するようにしているので、着火に先立って第１ポンプと第２ポンプとの間に存在する残圧を一旦適当に低減することができる。そして、さらに第１ポンプの駆動に遅れて第２ポンプの駆動と流量制御弁の開放がなされる際には、流量制御弁の開口度を一旦、着火時の噴霧流量に対応する開口度よりも大きくすることで、噴霧流量を短時間で低い噴霧流量から着火時の噴霧流量へと速やかに増大させることができ、速やかに着火を行うことができる。
【０００７】
【実施例】
以下に本発明を実施例に基づいて説明する。
図１は本発明に係るリターン式ノズルバーナ装置を備えた給湯設備の全体概略構成図、図２は図１のバーナ装置部の簡略構成図、図３は本発明の第１実施例を説明するタイムチャート、図４は本発明の第２実施例を説明するタイムチャート、図５は本発明装置の第３実施例を説明するタイムチャート、図６は本発明装置の第４実施例を説明するタイムチャートである。
【０００８】
図１に沿って本発明のリターン式ノズルバーナ装置を備えた給湯設備の説明する。
燃焼缶体１０に対して石油バーナ装置のリターン式ノズル２０が内部に臨まされている。そしてリターン式ノズル２０の周囲から、送風ファン７０によって送風された燃焼用空気が燃焼缶体１０内に吹き込まれるようになされている。
前記燃焼缶体１０の上部には熱交換器４０が配置され、該熱交換器４０に対して入水管４１と出湯管４２が接続されている。入水管４１には水量センサ４３が設けられている。この熱交換器４０や入水管４１、出湯管４２によって、温水が供給できる給湯器になっている。
５０は点火器、６０は炎検出器である。また全体の制御はマイコン内蔵の制御部８０によってなされる。
【０００９】
図２も参照して、前記リターン式ノズル２０は、石油燃料を燃焼缶体１０内に噴霧すると共に燃料の一部を戻り管路２１に戻すことで、噴霧流量を調節することができるようになされている。
石油タンク２２から、石油供給管路２３を、電磁ポンプである送油用の第２ポンプ２４で一定圧に加圧されて送られた石油は、流量制御弁２５により制御された流量とされ、定差圧ポンプである第１ポンプ２６に送られ、該第１ポンプ２６からリターン式ノズル２０に入り、噴霧される。一部は第１の定圧リリーフ逆止弁２７を通って戻り管路２１に入り、さらに第２の定圧リリーフ逆止弁２８を通って、戻り管路２１の戻り端から再び前記第１ポンプ２６の吸い込み側の石油供給管路２３に戻り、第１ポンプ２６に入る。前記戻り管路２１の戻り端は前記第１ポンプ２６と流量制御弁２５との間の前記石油供給管路２３に接続されている。２９、３０はアキュムレータである。
前記石油供給管路２３のアキュムレータ２９は、第２ポンプ２４から流量制御弁２５を流れてくる石油の脈動流動を適当に緩和する役割を果たす。同様にアキュムレータ２９、３０は運転開始初期における圧力の急激な変化を緩和する役割を果たす。
前記第２の定圧リリーフ逆止弁２８は、石油供給管路２３側から戻り管路２１へ圧力が加わった場合に閉止すると共に、戻り管路２１側から石油供給管路２３側へ一定以上の圧力が加わった場合には通路を開放するようにされている。
【００１０】
次に図２、図３を参照して、本発明の第１の実施例を説明する。
本実施例では、制御部８０による制御構成として、燃焼停止信号が入ると、消火動作に入る前に、先ず、流量制御弁２５を一旦所定の低開口度まで絞り込み、一定時間経過後に流量制御弁２５の閉止と第２ポンプ２４及び第１ポンプ２６の停止とを行う構成としている。
先ず流量制御弁２５が所定の低開口度に絞り込まれることで、流量制御弁２５の下流側の石油供給管路２３内の圧力及び戻り管路２１の圧力が低減される。よって一定時間経過後に流量制御弁２５の閉止と第２ポンプ２４及び第１ポンプ２６の停止が行われた場合にも、第１ポンプ２６の吸い込み側及び戻り管路２１の残圧を安定した低残圧に保持することができる。これにより次回の運転開始時の着火の際にも低圧力での安定した緩点火が可能となる。
また、消火完了後の圧抜きを特に行わなくても残圧を減ずることができるので、専用の圧抜き弁が不要となり、コストの低減となる。また内圧リーク式のポンプを用いることがないので、圧抜きに要する時間も長くならない。
なお前記一定時間及び所定の低開口度を予め実験的に決めることで、残圧の程度を調整することができる。
さらに燃焼開始時における制御部８０による着火動作の制御構成として、図１に示す水量センサ４３が最低作動水量以上を検出することで、制御部８０に燃焼開始信号が入ると、制御部８０は、先ず第１ポンプ２６の駆動を行い、さらに一定の遅延時間を持って第２ポンプ２４の駆動と流量制御弁２５の開放を行うように構成されている。
これにより着火動作への準備段階として先ず第１ポンプ２６の吸い込み側と戻り管路２１内の圧力を引き続き安定した適当な低圧に保持することができ、よってこの安定した低い圧力から、第２ポンプ２４の駆動と流量制御弁２５の開放によって後続する着火時への噴霧圧へと、確実に圧力を増して調整することができる。
前記一定の遅延時間は実験的に決めることができる。
なお、本実施例においては、第１ポンプ２６の吸い込み側の圧Ｐ２  がアキュムレータ２９の作用によって、またリターン圧（戻り管路２１の圧Ｐ５  ）が定圧リリーフ逆止弁２８とアキュムレータ３０の作用によって緩やかに上昇するため、噴霧流量も緩やかに上昇することによる緩点火効果を得ることができる。
【００１１】
また、本発明の第１の実施例において、制御部８０による着火動作時における流量制御弁２５の開放に関しては、該流量制御弁２５を、一旦着火時に流すべき設定流量に対応する開口度よりも大きい開口度とした後、着火時に流すべき設定流量に対応する開口度に調整する構成とすることができる。このようにすることにより、噴霧流量を短時間で低い噴霧流量から着火時の噴霧流量へと速やかに増大させることができ、速やかに着火を行うことができる。開口度をどの程度大きい開口度とするか、及びどれだけの時間開口度を大きい開口度に保持するかは予め実験的に決めることができる。
勿論、前記着火時に開放する流量制御弁２５の開口度は、前記大きい開口度とすることなく、最初から着火時に流すべき設定流量に対応する開口度に調整してもよい。
【００１２】
図２、図４を参照して本発明の第２の実施例を説明する。
本実施例では、前記第１の実施例とは、消火運転時における制御部８０による制御構成が異なるだけである。
即ち、本実施例では、制御部８０による制御構成として、燃焼停止信号が入ると、先ず流量制御弁２５を一旦所定の低開口度まで絞り込み、一定時間経過後に第２ポンプ２４を停止すると共に流量制御弁２５を閉止し、第１ポンプ２６についてはさらに一定時間遅れて停止する構成としている。
流量制御弁２５が所定の低開口度まで絞られ、且つ一定時間後に流量制御弁２５の閉止と第２ポンプ２４の停止がなされた時点では、第１ポンプ２６と第２ポンプ２４との間の石油供給管路２３には石油が封じ込められた状態で残留し、相当の残留圧（Ｐ１  、Ｐ２  ）を有している。また戻り管路２１内の残圧Ｐ５  も同様である。本実施例では流量制御弁２５の閉止と第２ポンプ２４の停止がなされた後も一定時間引き続き第１ポンプ２６が駆動するので、第１ポンプ２６の吸い込み側（図２の符号Ｄ）の残留石油はリターン式ノズル２０から噴霧放出されるので、残圧Ｐ２  は減少する。よって戻り管路２１の残圧Ｐ５  も前記残圧Ｐ２  と同じ圧まで減少させることができ、次回の運転時における初期圧力状態として好ましい安定した低圧力に調節して保持することができる。
前記所定の低開口度、及び各一定時間はそれぞれ実験的に適当な値を予め決めることができる。
【００１３】
図２、図５を参照して、本発明の第３の実施例を説明する。
本実施例では、制御部８０による消火動作の制御構成として、燃焼停止信号を受けると先ず前記流量制御弁２５を一旦所定の低開口度まで絞り込み、一定時間経過後に第２ポンプ２４を停止すると共に流量制御弁２５を閉止し、さらに一定時間遅れて第１ポンプ２６を停止するようにしている。
また制御部８０による燃焼開始の着火動作の制御構成として、制御部８０は燃焼開始信号を受けると、先ず第１ポンプ２６の駆動と流量制御弁２５の開放を行い、一定の遅延時間を持って第２ポンプ２４の駆動を行うことで着火動作を行わしめるようにしている。
前記制御部８０による消火動作の制御構成による作用、効果は、前記第２実施例の場合と同様である。
一方、制御部８０による燃焼開始の着火動作制御においては、先ず第１ポンプ２６の駆動と流量制御弁２５の開放が行われ、第２ポンプ２４は引き続き停止状態に維持されことで、着火への準備段階として、先ず第１ポンプ２６の吸い込み側を第２ポンプ２４に至るまでの領域において均圧化した低圧に保持すると共に戻り管路２１内の圧力も引き続き適当な低圧に保持することができる。よってこのより安定した低い圧力状態から、第２ポンプ２４が駆動を開始することで、確実に後続する着火時の噴霧圧へと増圧調整することができるのである。
【００１４】
また第３の実施例においても、制御部８０による着火動作時における流量制御弁２５の開放に関しては、該流量制御弁２５を、一旦着火時に流すべき設定流量に対応する開口度よりも大きい開口度とした後、着火時に流すべき設定流量に対応する開口度に調整する構成とすることができる。このようにすることにより、噴霧流量を短時間で低い噴霧流量から着火時の噴霧流量へと速やかに増大させることができ、速やかに着火を行うことができる。開口度をどの程度大きい開口度とするか、及びどれだけの時間開口度を大きい開口度に保持するかは予め実験的に決めることができる。
【００１５】
図２、図６を参照して、本発明の第４の実施例を説明する。
本実施例における制御部８０による消火動作の制御構成は、燃焼停止信号を受けることにより、先ず流量制御弁２５を一旦所定の低開口度まで絞りこみ、一定時間経過後に第２ポンプ２４を停止し、さらに一定時間遅れて流量制御弁２５を閉止すると共に第１ポンプ２６を停止するようにしている。
この場合、流量制御弁２５を絞った後、第２ポンプ２４を停止した時点においては、第１ポンプ２６と第２ポンプ２４との間の石油供給管路２３には石油が封じ込められた状態で残留し、相当の残圧（Ｐ１  、Ｐ２  ）を有している。また戻り管路２１内の残圧Ｐ５  も同様である。そして第２ポンプ２４の停止後も流量制御弁２５と第１ポンプ２６とを一定時間だけ駆動することで、第１ポンプ２６と第２ポンプ２４との間の残留石油はリターン式ノズル２０より噴霧されるので、残圧（Ｐ１  、Ｐ２  ）は減少する。これによって、第１ポンプ２６と第２ポンプ２４との間の残圧（Ｐ１  ≒Ｐ２  ）と戻り管路２１内の残圧Ｐ５  は次回の運転時における初期圧力状態として、緩点火に好ましい安定した十分低圧に保持することができる。
前記各一定時間は実験的に予め定めておくことができる。
一方、制御部８０による燃焼開始の着火動作においては、既述した第３実施例の場合と同様である。
【００１６】
【発明の効果】
本発明は以上の構成よりなり、請求項１に記載のリターン式ノズルバーナ装置によれば、燃焼停止信号を受けると前記流量制御弁を一旦所定の低開口度まで絞り込み、その後において前記流量制御弁を閉止し、また前記第１ポンプや第２ポンプも停止する制御部を設けたので、これによって流量制御弁の前方にある第１ポンプの吸い込み側及びリターン式ノズルからの戻り管路内の残圧を安定した低圧力に調整して保持することができる。よってまた次回の運転開始時における着火時の噴霧圧力を変動の少ない安定した低圧力として良好な緩点火を行うことが可能となると共に、着火音や煤や臭いがでる等の残圧による悪影響を防止して、安定な着火を行うことができる。
また、消火完了後の圧抜きを特に行わなくても残圧を減ずることができるので、専用の圧抜き弁が不要となり、コストの低減となる。また内圧リーク式のポンプを用いることがないので、圧抜きに要する時間も長くならない。
さらに、燃焼開始信号を受けると、先ず第１ポンプだけを駆動し、一定の遅延時間を持って第２ポンプの駆動と流量制御弁の開放を行うようにしているので、着火動作への準備段階として先ず第１ポンプの吸い込み側と戻り管路内の圧力を引き続き安定した適当な低圧に保持することができ、よってこの安定した低圧から後続する着火時の噴霧圧へと確実に圧力を増して、好ましい着火圧での着火を確実に行うことができる。
また請求項２に記載のリターン式ノズルバーナ装置によれば、上記請求項１に記載の構成による効果に加えて、着火動作時における流量制御弁の開放については、一旦着火時の流量に対応する開口度よりも大きい開口度とした後、着火時の流量に対応する開口度に制御する制御部を設けたので、噴霧流量を短時間で低い噴霧流量から着火時における好ましい噴霧流量へと速やかに増大させることができ、速やかに且つ適切なる着火を行うことができる。
また請求項３に記載のリターン式ノズルバーナ装置によれば、流量制御弁の前方にある第１ポンプの吸い込み側及びリターン式ノズルからの戻り管路内の残圧を安定した低圧力に調整して保持することができる。よってまた次回の運転開始時における着火時の噴霧圧力を変動の少ない安定した低圧力として良好な緩点火を行うことが可能となると共に、着火音や煤や臭いがでる等の残圧による悪影響を防止して、安定な着火を行うことができる。
また、消火完了後の圧抜きを特に行わなくても残圧を減ずることができるので、専用の圧抜き弁が不要となり、コストの低減となる。また内圧リーク式のポンプを用いることがないので、圧抜きに要する時間も長くならない。
さらに、燃焼運転の開始に際しては、先ず第１ポンプの駆動と流量制御弁の開放を行い、一定の遅延時間を持って第２ポンプを駆動することで着火を行うようにしているので、これにより着火動作への準備段階として、先ず第１ポンプの吸い込み側を第２ポンプに至る領域まで均圧化した低圧に保持することができると共に戻り管路内の圧力も引き続き適当な低圧に保持することができる。よってこの低い安定した圧力から確実に後続する着火時の噴霧圧へと増圧調整することができ、好ましい着火圧での確実な着火を確保することができる。
また請求項４に記載のリターン式ノズルバーナ装置によれば、上記請求項３に記載の構成による効果に加えて、燃焼を開始するときには、先ず第１ポンプの駆動と同時に流量制御弁を低開口度で開放するので、着火に先立って第１ポンプと第２ポンプとの間に存在する残圧を一旦適当に低減することができ、しかも着火に際しては流量制御弁の開口度を一旦着火時の噴霧流量に対応する開口度よりも大きくするので、速やかに噴霧流量を増大することができる。よってそれらの総合として、噴霧流量を短時間で低い噴霧流量から着火時の噴霧流量へと速やかに増大させ、且つ確実に着火適当圧に調整して、速やかに且つ良好なる着火を確実に行うことができる。
【図面の簡単な説明】
【図１】本発明に係るリターン式ノズルバーナ装置を備えた給湯設備の全体概略構成図である。
【図２】図１のバーナ装置部の簡略構成図である。
【図３】本発明の第１実施例を説明するタイムチャートである。
【図４】本発明の第２実施例を説明するタイムチャートである。
【図５】本発明装置の第３実施例を説明するタイムチャートである。
【図６】本発明装置の第４実施例を説明するタイムチャートであるである。
【図７】従来のリターン式ノズルバーナ装置の簡略構成図である。
【符号の説明】
１０  燃焼缶体
２０  リターン式ノズル
２１  戻り管路
２２  石油タンク
２３  石油供給管路
２４  第２ポンプ
２５  流量制御弁
２６  第１ポンプ
８０  制御部
【図１】
0003603377.tif 000002
【図２】
0003603377.tif 000003
【図３】
0003603377.tif 000004
【図４】
0003603377.tif 000005
【図５】
0003603377.tif 000006
【図６】
0003603377.tif 000007
【図７】
0003603377.tif 000008